(57)【要約】【課題】呼び出し押しボタンが押された時、及びある角度以上に傾斜した時に一定時間電源が投入され、通信を行い、電池の消耗を減らした無線式呼出送信装置を提供する。【解決手段】呼び出し押しボタンが押された時、電源が投入され、呼び出し信号を送信して一定時間保持し、その間に応答がある場合は、それを受信して応答表示灯を点灯する無線式呼出送信装置。また、内蔵した傾斜センサーがある角度以上でＯＮ状態になると、一定時間電源が保持されてヘルシーチェック信号を送信する無線式呼出送信装置。  ヘルシーチェック信号が一定期間送信されないと、監視センターでは機器の故障、電池の消耗の他にその保持者の健康状態をも含めた警告を発する呼び出し監視システム。  【選択図】図１
2006129010.tif 000002
【特許請求の範囲】
【請求項１】
アンテナと送受信部、制御部、タイマー部、入出力部、呼び出し押しボタン、復旧ボタン、応答表示灯、保持回路、立上りトリガ回路、禁止回路、及び電池で構成され、前記呼び出し押しボタンを押下すると、前記電池の電源が投入され、前記保持回路と前記タイマー部及び前記制御部の動作で一定時間電源投入が維持され、その間に呼び出し信号を無線式呼出受信装置側へ送信し、前記無線式呼出受信装置側から応答があると前記応答表示灯を点灯することを特徴とする無線式呼出送信装置。
【請求項２】
請求項１において、前記無線式呼出送信装置に傾斜センサーを装備して、一定以上傾斜した時に前記傾斜センサーがＯＮ状態になることを検出すると、前記電池の電源が投入され、前記保持回路と前記タイマー部及び前記制御部の動作で一定時間電源投入が維持され、その間に前記無線式呼出送信装置が正常に動作していることを示すヘルシーチェック信号を前記無線式呼出受信装置側へ送信し、その後は前記タイマー部と前記保持回路及び前記禁止回路だけの電源が一定時間維持され、前記傾斜センサーがＯＮ状態とＯＦＦ状態を繰り返してもヘルシーチェック信号を前記禁止回路で禁止して一定時間送信されないようにしたことを特徴とする無線式呼出送信装置。
【請求項３】
請求項２において、側面の形状に丸みと首掛けリボンを装備し、首から下げる時に垂直方向になり、身体からはずして床や机上などに置くときに垂直方向では安定せず、水平方向になるようにして前記傾斜センサーが確実に動作するようにしたことを特徴とする無線式呼出送信装置。
【請求項４】
請求項２において、ヘルシーチェック信号がある一定期間以上、前記無線式呼出送信装置から発信されない場合、前記無線式呼出受信装置を経由して監視センターに設置される監視装置が、前記無線式呼出送信装置の所持者の健康状態を警告表示及び警報音を鳴動して監視者に知らせる生活モニタとしての機能を備えた呼び出し監視システム。
【発明の詳細な説明】
【技術分野】
【０００１】
本発明は、病院、老人保健施設、シルバーマンションあるいは宅内で使用される無線式呼出送信装置に係わり、特に身体に不安のある入院患者、高齢者、身体障害者等が携帯し、体に異常を感じたときに押しボタンを押すことにより看護師や介護人などを呼び出せるようにした無線式呼出送信装置に関する。
【背景技術】
【０００２】
無線式の緊急呼び出し装置は、下記の特許文献１に例を示すように既に広く知られている。
【特許文献１】特許第２８６６６２５号公報
【発明の開示】
【発明が解決しようとする課題】
【０００３】
従来の無線式呼出送信装置は、いつでも緊急時に使えなくてはならないので、定期的に正常に動作するか確認するため、ヘルシーチェック信号を発信し、受信側では定期的にヘルシーチェック信号が来ている無線式呼出送信装置は正常に動作していると判断していた。  このため、無線式呼出送信装置は、連続して電源を投入して使用する為に電池の消耗が速いことが難点であった。
【０００４】
また、従来のヘルシーチェックは、機器の故障や電池の消耗を判断することが出来るが、無線式呼出送信装置の所持者の健康状態を監視することは出来ない。
【課題を解決するための手段】
【０００５】
本発明は、従来の難点であった電池の消耗を減らす為に、定期的に実施していたヘルシーチェックを行わないことにより、連続に通電することを止め、ヘルシーチェックを実施する時及び呼び出しボタンを押された時に一定時間電源が投入されるようにした。
【０００６】
無線式呼出送信装置内に傾斜センサーを装備し、傾斜がある角度以上に傾いた時に傾斜センサーがＯＮ状態になり、それを検知して電源が一定時間投入され、その間にヘルシーチェック信号を送信する。  ヘルシーチェックが実施される時は、無線式呼出送信装置の所持者が身体からはずして水平に置く時や身体に着けたまま横になった場合などである。
【０００７】
無線式呼出送信装置の所持者が、身体に着けたまま横になったり起き上がる動作を繰り返した場合、頻繁にヘルシーチェックが発信されることを防ぐ為、一度ヘルシーチェック信号が発信されたら、一定時間は再度発信されない禁止時間帯を設ける。  禁止時間帯を設けることにより、電池の消耗を少なくすることが出来る。
【０００８】
無線式呼出送信装置に首掛けリボンを装備し、首に掛けた時に正面から見て垂直（直方体で首に掛けた時、奥行き方向が薄手とする）になり、身体からはずして床や机上に置いたときに、側面が丸みを持たせた構造にして、垂直では安定することが出来ずに水平となり、無線式呼出送信装置に内蔵された傾斜センサーがある一定以上の傾斜になることで確実に傾斜センサーの接点出力がＯＦＦ、ＯＮの動作を行うようにした。  ＯＦＦからＯＮに変化したことを立上りトリガ回路で検知して、電池の電源が一定時間投入され、ヘルシーチェック信号を送出する。
【０００９】
監視センターの監視装置は、ヘルシーチェック信号が設定した一定期間以上来ない場合、機器の故障や電池の消耗の他に、無線式呼出送信装置の所持者が長時間この装置を身に着けていないか、または長時間横になったままの状態が継続している可能性があると判断して、警報表示及び警報音を鳴動して監視者に注意を喚起する。
傾斜センサーを装備し、傾きの変化を捉えてヘルシーチェック信号を送信することで、無線式呼出送信装置の所持者の活動状況をモニターすることが出来る。
【発明の効果】
【００１０】
本発明は、無線式呼出送信装置の呼び出しまたはヘルシーチェックを行う時に通電し、その他の時は待機して電池の消費を減らすことが出来る。  その為、長時間使用できる、電池交換の手間が少なくなる等の効果が期待できる。  また、無線式呼出送信装置の所持者の活動をモニターすることが出来る為、超音波や赤外線や水道流量センサーなどによる生活サイクルモニターのセンサーを取り付けなくて済み、設備費用を低減出来る。
【発明を実施するための最良の形態】
【００１１】
以下、本発明の一実施形態を図面に基づいて説明する。
図1は、無線式呼出送信装置の構成を示す。    図2は、無線式呼出装置の監視システムを示す。
図3は、無線式呼出送信装置の外観と所持者が首から下げて装着している状況を示す。
【００１２】
図1に於いて、呼び出し押しボタン（２）が押されると立上りトリガ回路（８）で変化を捉え保持回路（７）を起動する。保持回路には接点（６）（サイリスタ等の半導体接点も含む）が連動し、接点がＯＮ状態になって電池（１）の電源が接点（６）を通り各部の回路に供給される。
電源が供給された各回路は、正常に動作を開始し、制御部（１４）は入出力部（１１）経由で入力された呼び出し押しボタン（２）の信号を読み取り、呼び出し信号・自己アドレスなど必要な通信文を構成して送受信部（１３）へ送り、そこでは通信文を高周波に変調してアンテナ（１２）から無線式呼出受信装置側へ電波で発信する。
【００１３】
タイマー部（１０）は、制御部（１４）から時間を設定され、その時間を経過したら保持回路（７）をリセットして接点（６）をＯＦＦにし、各部への電源供給が停止する。
復旧ボタン（４）は、誤って呼び出し押しボタンを押した時にリセットするためのボタンである。
【００１４】
図2に於いて、無線式呼出送信装置（２０）から発信された呼び出し信号は、無線式呼出受信装置（２１）を経由して監視センター（２２）に設置されている監視装置（２４）へ送られ、表示部（２５）と警報音鳴動部（２６）に出力されて、監視者に知らせる。  監視者が確認操作をすると、監視装置（２４）から無線式呼出受信装置（２１）を経由して無線式呼出送信装置（２０）へ応答信号が伝わり、応答表示灯（５）ならびに音で呼び出し者に呼び出し信号を受け取ったことを知らせ安心感を与える。    タイマー部（１０）での電源供給の時間は、応答信号が受けられるまでの充分な時間を設定する。
【００１５】
無線式呼出送信装置（２０）内に傾斜センサー（３）を装備する。
図3に於いて、無線式呼出送信装置（２０）に首掛けリボン（４０）を取り付けて、所持者（３０）の首に掛けた状態で垂直（直方体で首に掛けた時、奥行き方向が薄手とする）になり、身体からはずして床や机上に置いたときに、側面が丸みを持たせた構造にして、垂直では安定することが出来ずに水平となり、無線式呼出送信装置に内蔵された傾斜センサーがある一定以上の傾斜になることで確実に傾斜センサーの接点出力がＯＦＦ、ＯＮの動作を行うようにした。
【００１６】
図1に於いて、無線式呼出送信装置（２０）がある角度以上に傾斜すると傾斜センサー（３）の接点出力がＯＮ状態になり、禁止回路（９）で禁止状態でなければ立上りトリガ回路（８）で接点ＯＮの立ち上がりを捉え、保持回路（７）にセット信号を出して電源の接点（６）をＯＮに保持する。
【００１７】
電源が投入されると、傾斜センサーがＯＮ状態を入出力部（１１）を経由して制御部（１４）が判断し、ヘルシーチェック信号、自己アドレスなど必要な通信文を構成して送受信部（１３）へ送り、そこでは通信文を高周波に変調してアンテナ（１２）から無線式呼出受信装置側へ電波で発信する。  ヘルシーチェック信号は、無線式呼出受信装置（２１）を経由して監視センター（２２）に設置されている監視装置（２４）へ送られ、監視装置ではヘルシーチェック信号と送信されてきたアドレスでその無線式呼出送信装置（２０）は機器も所持者も正常に動作していると判断して内部の監視タイマーをリセットして、監視の再スタートを始める。
監視タイマーは一定期間ヘルシーチェック信号がこない場合に上限値を超え、表示部（２５）へ警告表示と警報音鳴動部（２６）から音を出して監視者に知らせる。
【００１８】
図1に於いて、傾斜センサー（３）の接点出力がＯＮ状態になってから、ある時間帯は再度ヘルシーチェック信号が発信されることを防止する為、タイマー部（１０）から禁止回路（９）へ禁止信号を出して、傾斜センサー（３）の信号が立上りトリガ回路（８）に加わるのを禁止する。
禁止時間は設定によって可変できるが、数時間の単位で選ばれる。  その間はタイマー部（１０）と禁止回路（９）の電源は投入されているが、他の各部はヘルシーチェック信号を送信終了後に電源を切る。    禁止時間を設けることによって、無線式呼出送信装置の所持者が横になったり起き上がったり頻繁に繰り返しても、頻繁にヘルシーチェック信号を発信することを防げる。
【図面の簡単な説明】
【００１９】
【図１】無線式呼出送信装置の構成
【図２】無線式呼出装置の監視システム
【図３】無線式呼出送信装置の外観及び装着図
【符号の説明】
【００２０】
１、          
電池
２、          
呼び出し押しボタン
３、          
傾斜センサー
４、          
復旧ボタン
５、          
応答表示灯
６、          
電源接点
７、          
保持回路
８、          
立ち上がりトリガ回路
９、          
禁止回路
１０、             
タイマー部
１１、             
入出力部
１２、             
アンテナ
１３、             
送受信部
１４、             
制御部
２０、  無線式呼出送信装置
２１、  無線式呼出受信装置
２２、  監視センター
２３、  接続部
２４、  監視装置
２５、  表示部
２６、  警報音鳴動部
３０、  無線式呼出送信装置の所持者
４０、  首掛けリボン
【図１】
2006129010.tif 000003
【図２】
2006129010.tif 000004
【図３】
2006129010.tif 000005